(57)【要約】【課題】空気漏れのほとんど無い係合構造のダクトを備えたプロジェクタを提供する。【解決手段】プロジェクタ１の冷却ユニット６は、導入した冷却空気を液晶パネル４４１へ導くために、外装ケース２の底面部１２Ａの内面に立設されたリブ６４１と、リブ６４１と係合して冷却空気が流れる流路を形成する吐出側ダクト本体６４２と、を含んで構成されている。リブ６４１と吐出側ダクト本体６４２との係合は、リブ６４１として２本が平行に立設された間隙である開口部へ、吐出側ダクト本体６４２を挿入してなされる。【選択図】図８
2008089688.tif 000002
【特許請求の範囲】
【請求項１】
光源から射出された光を画像信号に応じて変調して投射するプロジェクタであって、
発熱部と、
前記発熱部へ冷却空気を導いて冷却するための冷却装置と、を備え、
前記冷却装置は、前記冷却空気を前記発熱部へ導くための経路に沿って立設されたリブと、
前記リブと係合して前記冷却空気が流れる流路を形成するダクト体と、を含んで構成され、
前記リブと前記ダクト体との係合は、少なくとも前記リブまたは前記ダクト体のいずれか一方の係合部が略Ｕ字状をなし、他方の係合部が前記略Ｕ字状の開口部へ挿入されてなることを特徴とするプロジェクタ。
【請求項２】
光源から射出された光を画像信号に応じて光変調装置により変調して投射するプロジェクタであって、
前記光変調装置へ冷却空気を導いて前記光変調装置を冷却するための冷却装置を備え、
前記冷却装置は、前記冷却空気を導入するファン部と、
導入した前記冷却空気を前記光変調装置へ導くための経路に沿って立設されたリブと、
前記リブと係合して前記冷却空気が流れる流路を形成するダクト体と、を含んで構成され、
前記リブと前記ダクト体との係合は、少なくとも前記リブまたは前記ダクト体のいずれか一方の係合部が略Ｕ字状をなし、他方の係合部が前記略Ｕ字状の開口部へ挿入されてなることを特徴とするプロジェクタ。
【請求項３】
請求項２に記載のプロジェクタにおいて、
前記リブの前記係合部は、外装筐体の内面に前記略Ｕ字状をなすように２本立設されていることを特徴とするプロジェクタ。
【請求項４】
請求項３に記載のプロジェクタにおいて、
前記流路の側に位置する前記リブは、立設された高さが前記流路から遠い側に位置する他方の前記リブより低いことを特徴とするプロジェクタ。
【請求項５】
請求項２から４のいずれか一項に記載のプロジェクタにおいて、
前記光変調装置は、複数の光変調素子を有し、
前記冷却装置は、複数の前記光変調素子へ前記冷却空気を導く複数の前記流路と、
前記光変調素子のそれぞれへ前記冷却空気を送風するため前記ダクト体に設けられた複数の流出口と、を有することを特徴とするプロジェクタ。
【発明の詳細な説明】
【技術分野】
【０００１】
本発明は、発熱部へ冷却空気を送るためのダクトを有するプロジェクタに関する。
【背景技術】
【０００２】
従来、プロジェクタの発熱部を冷却するために設けられているダクトは、ダクトを形成するダクト本体が略矩形の筒状であって、略矩形の一辺が開口した形状をしている。この開口した部分が外装内部に当設して冷却空気の流路が形成される。ダクト本体と外装内部との当設部は、外装内部に立設された一条のリブに沿って、ダクト本体の開口した部分の端部が係合する構造である（たとえば特許文献１）。
【０００３】
【特許文献１】特開２００５−３３８２３６号公報
【発明の開示】
【発明が解決しようとする課題】
【０００４】
しかし、従来の技術において、ダクト本体を装着するときに、外装内部の一条のリブとダクト本体の端部とは、リブの立設方向と同方向であるそれぞれの片側面のみが接して冷却空気の流路が形成されている。そのため、共にプラスチック成型体であるリブおよびダクト本体の端部のいずれかが変形している場合、あるいは、空気の圧力によってダクト本体が変形した場合などには、係合部分から空気が漏れ、発熱部を冷却するための空気が十分に供給されないという課題があった。
【０００５】
本発明は、上記課題を鑑みてなされており、課題を解決するために、空気漏れのほとんど無い係合構造のダクトを備えたプロジェクタを提供することを目的とする。
【課題を解決するための手段】
【０００６】
本発明のプロジェクタは、光源から射出された光を画像信号に応じて変調して投射するものであって、発熱部と、発熱部へ冷却空気を導いて冷却するための冷却装置と、を備え、冷却装置は、冷却空気を発熱部へ導くための経路に沿って立設されたリブと、リブと係合して冷却空気が流れる流路を形成するダクト体と、を含んで構成され、リブとダクト体との係合は、少なくともリブまたはダクト体のいずれか一方の係合部が略Ｕ字状をなし、他方の係合部が略Ｕ字状の開口部へ挿入されてなることを特徴とする。
【０００７】
このプロジェクタによれば、冷却装置は、流路によって冷却空気を発熱部へ送風し、発熱部を冷却する。流路は、リブおよびダクト体のそれぞれの係合部が係合して、リブと、リブが形成されている部材と、ダクト体とにより形成されている。この流路の形成のために、リブとダクト体のそれぞれの係合部は、少なくともいずれか一方の側が略Ｕ字の形状をしている。つまり、一方の側がリブであれば、立設されたリブが略Ｕ字をなすよう形成され、略Ｕ字の凹状の部分が開口部である。この開口部へダクト体の係合部を挿入することにより、立設方向と直交する幅方向において、それぞれが緩い嵌め合い嵌合の状態となって、外部とほぼ遮断された流路が形成される。また、一方の側がダクト体であれば、ダクト体の端部の係合部が開口部を有して略Ｕ字状に形成される。この開口部へリブを挿入することにより、外部とほぼ遮断された流路が形成される。この場合も、開口部とリブとの挿入は、立設方向と直交する幅方向において、それぞれが緩い嵌め合い嵌合の状態である。このように、冷却装置は、係合部が変形し難く隙間の発生を防ぐことが可能な構造であるため、発熱部へ導く冷却空気が流路から漏れることをほぼ防止でき、発熱部へ十分な風量の冷却空気を供給することが可能である。さらに、係合部が略Ｕ字状をなしているため、リブとダクト体との組立時において、双方の位置決めが容易である。
【０００８】
本発明のプロジェクタは、光源から射出された光を画像信号に応じて光変調装置により変調して投射するものであって、光変調装置へ冷却空気を導いて光変調装置を冷却するための冷却装置を備え、冷却装置は、冷却空気を導入するファン部と、導入した冷却空気を光変調装置へ導くための経路に沿って立設されたリブと、リブと係合して冷却空気が流れる流路を形成するダクト体と、を含んで構成され、リブとダクト体との係合は、少なくともリブまたはダクト体のいずれか一方の係合部が略Ｕ字状をなし、他方の係合部が略Ｕ字状の開口部へ挿入されてなることを特徴とする。
【０００９】
このプロジェクタによれば、光変調装置を備えていて、光変調装置は変調時に発熱し高温状態では不具合を生じる場合がある。冷却装置は、流路によって冷却空気を光変調装置へ送風し、光変調装置を冷却する。流路は、リブおよびダクト体のそれぞれの係合部が係合して、リブと、リブが形成されている部材と、ダクト体とにより形成されている。この流路の形成のために、リブとダクト体のそれぞれの係合部は、少なくともいずれか一方の側が略Ｕ字の形状をしている。つまり、一方の側がリブであれば、立設されたリブが略Ｕ字をなすよう形成され、略Ｕ字の凹状の部分が開口部である。この開口部へダクト部の係合部を挿入することにより、立設方向と直交する幅方向において、それぞれが緩い嵌め合い嵌合の状態となって、外部とほぼ遮断された流路が形成される。また、一方の側がダクト体であれば、ダクト体の端部の係合部が開口部を有して略Ｕ字状に形成される。この開口部へリブを挿入することにより、外部とほぼ遮断された流路が形成される。この場合も、開口部とリブとの挿入は、立設方向と直交する幅方向において、それぞれが緩い嵌め合い嵌合の状態である。このように、冷却装置は、係合部が変形し難く隙間の発生を防ぐことが可能な構造であるため、光変調装置へ導く冷却空気が流路から漏れることをほぼ防止でき、光変調装置へ十分な風量の冷却空気を供給することが可能である。さらに、係合部が略Ｕ字状をなしているため、リブとダクト体との組立時において、双方の位置決めが容易である。
【００１０】
この場合、リブの係合部は、外装筐体の内面に略Ｕ字状をなすように２本立設されていることが好ましい。
【００１１】
この構成によれば、リブが冷却空気の経路に沿うようにして、外装筐体の内面に２本立設されていて、２本は、外装筐体の内面と共に略Ｕ字状をなしている。こうすれば、流路は、強固な外装筐体の内面にダクト体を固定することにより形成される。そのため、ダクト体は、冷却空気の圧力に抗して変形のほとんど生じないものとなる。また、リブは、外装筐体と一体で成形でき、２本のリブを一定間隔で平行に形成することが容易であり、２本のリブの間である開口部に、ダクト体の係合部を均一な嵌合で係合することが可能である。また、ダクト体に変形が生じていても、ダクト体を矯正し、リブとダクト体を密着させて係合することが可能である。
【００１２】
さらに、流路の側に位置するリブは、立設された高さが流路から遠い側に位置する他方のリブより低いことが好ましい。
【００１３】
この構成によれば、外装筐体に立設された２本のリブは、立設された高さが異なっており、ダクト体が係合され冷却空気の流れる流路の側に位置するリブの高さに対して、流路の外側に位置する他方のリブの高さが高い設定である。このように、他方のリブが高いことにより、ダクト体と他方のリブとの接触面積が広いため、冷却空気によってダクト体が流路側から押されても、ダクト体およびリブの変形がほとんど生じない。そのため、流路から冷却空気の漏れをさらに抑制することが可能である。
【００１４】
また、光変調装置は、複数の光変調素子を有し、冷却装置は、複数の光変調素子へ冷却空気を導く複数の流路と、光変調素子のそれぞれへ冷却空気を送風するためダクト体に設けられた複数の流出口と、を有することが好ましい。
【００１５】
この構成によれば、プロジェクタの光変調装置は、例えば液晶パネルなどの光変調素子を複数備え、冷却装置がそれぞれの光変調素子を冷却する。冷却装置は、光変調素子へ冷却空気を導くため、ダクト体に複数の流路を有し、光変調素子への冷却空気の送風は、各光変調素子の近傍にそれぞれ設けた専用の流出口から行う。これにより、光変調素子毎の冷却が確実に行え、高温状態に起因する光変調素子の不具合の発生を防止することが可能である。
【発明を実施するための最良の形態】
【００１６】
以下、本発明を具体化した実施形態について図面に従って説明する。実施形態では、光源から射出された光束を画像情報に応じて変調し、スクリーン等の投射面上に拡大投射するプロジェクタを例にして説明する。
（実施形態）
【００１７】
図１は、本実施形態に係るプロジェクタを上方前面側から見た斜視図である。また、図２は、プロジェクタを下方前面側から見た斜視図である。図１および図２は、プロジェクタ１の外観を構成する外装筐体としての外装ケース２を詳細に示している。このプロジェクタ１は、外装ケース２と、ここでは図示していない光学ユニット、電源ユニット、および冷却装置としての冷却ユニットとを含んで構成されている。
【００１８】
外装ケース２は、略直方体形状を有する合成樹脂製の筐体であり、プロジェクタ１の本体部分を収納する。この外装ケース２は、プロジェクタ１の上部分を覆うアッパーケース１１と、プロジェクタ１の下部分を覆うロアーケース１２とを備える。これらアッパーケース１１およびロアーケース１２は、ねじ等により固定され、適宜着脱可能に構成されている。
【００１９】
アッパーケース１１は、プロジェクタ１の上面を構成する上面部１１Ａと、上面部１１Ａから略垂下しプロジェクタ１の前面を構成する前面部１１Ｂと、上面部１１Ａから略垂下しプロジェクタ１の側面を構成する側面部１１Ｃ，１１Ｄと、上面部１１Ａから略垂下しプロジェクタ１の背面を構成する図示しない背面部とで構成される。
【００２０】
これらのうち、上面部１１Ａにおいて、後方右側部分には、プロジェクタ１の起動および調整操作をするための操作パネル１３が設けられている。この操作パネル１３は、複数の操作ボタン１３１を有し、これら操作ボタン１３１を適宜押下することにより、操作パネル１３の内部に配置される図示していない制御基板に操作信号が出力される。また、上面部１１Ａにおいて、前方右側部分には、切り欠き１４が形成されている。
【００２１】
また、前面部１１Ｂにおいて、前方から見て左側には、排気口１６が形成され、内部に配置されている冷却ファンから排気される冷却空気が排気口１６を介して排出される。また、前面部１１Ｂにおいて、排気口１６の上方側には、プロジェクタ１の前後方向（投射方向）にＰＣカード９を挿抜可能とするカードスロット１７が形成されている。このＰＣカード９は、パソコンで使用されているＬＡＮカードや、メモリーカード等が使用可能であり、プロジェクタ１の機能を拡張するために利用される。
【００２２】
さらに、前面部１１Ｂにおいて、前方から見て右側には、略円形状の切り欠き１８が形成され、この切り欠き１８を介して光学ユニットの後述する投射レンズの先端部分が露出される。また、この切り欠き１８には、切り欠き１８の形状に対応した形状を有するレンズカバー１９が着脱自在に設けられている。そして、レンズカバー１９を切り欠き１８に装着することにより、切り欠き１８が閉塞され、光学ユニットの後述する投射レンズの先端部分が保護される。また、前面部１１Ｂにおいて、前方から見て切り欠き１８の右側には、リモコン受光窓２０が形成されている。リモコン受光窓２０の内側には、リモートコントローラからの操作信号を受信するリモコン受光モジュールが配置されている。
【００２３】
なお、背面部には、図示を省略してあるが、外部の電子機器からの画像信号、音声信号等を入力するための複数の接続端子が外部に露出している。そして、背面部の内側には、接続端子から入力される信号を処理するインターフェース基板が配置されていて、インターフェース基板は、前記制御基板と電気的に接続され、処理された信号は、制御基板に出力される。
【００２４】
そして、ロアーケース１２は、図２に示すように、プロジェクタ１の底面を構成する底面部１２Ａと、底面部１２Ａの外縁部分から立設しプロジェクタ１の前面の一部、側面の一部、および背面の一部を構成する起立部１２Ｂとを備える。これらのうち、底面部１２Ａにおいて、前方右側から前後方向略中央部分に亘る平面視略矩形状の領域は、内側に窪む段付形状を有し、段付形状の底部に外部から冷却空気を吸入し光学ユニットの後述する光学装置を冷却するための吸気口２１が形成されている。また、この吸気口２１の内側には、該吸気口２１と平面的に干渉する位置にエアフィルタ２２が設けられており、内部への塵埃等の侵入を防止している。
【００２５】
また、底面部１２Ａにおいて、平面視略中央部分から後方左側に亘る領域は、内側に窪む段付形状を有し、段付状の底部に外部から冷却空気を吸入し光学ユニットの後述する光源装置等を冷却するための吸気口２３が形成されている。そして、底面部１２Ａにおいて、前方側左右方向略中央部分、後方右側角隅部分、および後方左側角隅部分には、プロジェクタ１の脚部を構成する調整脚部２４，２５および固定脚部２６がそれぞれ設けられ、これら３点でプロジェクタ１が接地される。さらに、底面部１２Ａにおいて、後方左側の隅部には、矩形状の開口２７が形成されている。この開口２７には、後述する光源装置を交換するためのランプカバー２８が着脱自在に設けられている。
【００２６】
次に、プロジェクタ１の内部構造について説明する。図３は、プロジェクタの内部構造を示す斜視図であり、プロジェクタ１のアッパーケース１１を外した図である。図３に示すように、外装ケース２の内部には、プロジェクタ１の本体部分が収納されている。この本体部分は、光学ユニット４と、電源ユニット５と、冷却装置としての冷却ユニット６とを備える。また、図４は、光学ユニットの光学系を示す模式図である。
【００２７】
なお、光学ユニット４の上方側には、ＣＰＵ（Central  Processing  Unit）等の演算処理装置が実装された回路基板として構成され、インターフェース基板、リモコン受光モジュール、および操作パネル１３等から出力される信号に基づいて、プロジェクタ１全体を制御する制御基板が配置されているが、ここでは図示を省略してある。
【００２８】
プロジェクタ１の本体部分として、まず光学ユニット４の構造から説明する。光学ユニット４は、図３に示すように、外装ケース２の背面側に沿って延び、一方の端部が前方に延びる平面視略Ｌ字形状を有し、画像情報に応じて光学像を形成して拡大投射するものである。また、この光学ユニット４は、図４に示すように、インテグレータ照明光学系４１と、色分離光学系４２と、リレー光学系４３と、光学装置４４と、光学部品用筐体４５とに機能的に大別される。
【００２９】
インテグレータ照明光学系４１は、光源から射出された光束を照明光軸直交面内における照度を均一にするための光学系である。このインテグレータ照明光学系４１は、図４に示すように、光源装置４１１、第１レンズアレイ４１２、第２レンズアレイ４１３、偏光変換素子４１４、および重畳レンズ４１５を備えて構成される。
【００３０】
光源装置４１１は、図４に示すように、放射光源としての光源ランプ４１６およびリフレクタ４１７を備える。光源ランプ４１６から射出された放射状の光束は、リフレクタ４１７で反射されて略平行光束となって射出される。第１レンズアレイ４１２は、照明光軸方向から見てほぼ矩形状の輪郭を有する小レンズがマトリクス状に配列された構成を具備し、各小レンズは、光源ランプ４１６から射出された光束を部分光束に分割し、照明光軸方向に射出する。第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル上に結像させる機能を有する。偏光変換素子４１４は、第２レンズアレイ４１３からの光を略１種類の偏光光に変換するものである。偏光光を変調するタイプの液晶パネルを用いたプロジェクタ１では、１種類の偏光光しか利用できないため、ランダムな偏光光を発する光源ランプ４１６からの光束の略半分が利用されない。このため、偏光変換素子４１４を用いて、光源ランプ４１６から射出された光束を略１種類の偏光光に変換し、光学装置４４における光の利用効率を高めている。
【００３１】
色分離光学系４２は、図４に示すように、２枚のダイクロイックミラー４２１，４２２と、反射ミラー４２３とを備える。インテグレータ照明光学系４１から射出された複数の部分光束は、２枚のダイクロイックミラー４２１により赤（Ｒ）、緑（Ｇ）、青（Ｂ）の３色の色光に分離される。そして、リレー光学系４３は、入射側レンズ４３１と、リレーレンズ４３３と、反射ミラー４３２，４３４とを備え、色分離光学系４２で分離された色光である赤色光を光学装置４４の後述する赤色光用の液晶パネルまで導く機能を有している。
【００３２】
この際、色分離光学系４２のダイクロイックミラー４２１では、インテグレータ照明光学系４１から射出された光束のうち、赤色光成分と緑色光成分とは透過し、青色光成分は反射する。ダイクロイックミラー４２１によって反射した青色光は、反射ミラー４２３で反射し、フィールドレンズ４１８を通って、後述する青色光用の液晶パネルに到達する。このフィールドレンズ４１８は、第２レンズアレイ４１３から射出された各部分光束をその中心軸（主光線）に対して平行な光束に変換する。他の赤色光、緑色光用の液晶パネルの光入射側に設けられたフィールドレンズ４１８も同様である。
【００３３】
また、ダイクロイックミラー４２１を透過した赤色光と緑色光のうちで、緑色光は、ダイクロイックミラー４２２によって反射し、フィールドレンズ４１８を通って、後述する緑色光用の液晶パネルに到達する。一方、赤色光は、ダイクロイックミラー４２２を透過してリレー光学系４３を通り、さらにフィールドレンズ４１８を通って、後述する赤色光用の液晶パネルに到達する。なお、赤色光にリレー光学系４３が用いられているのは、赤色光の光路の長さが他の色光の光路の長さよりも長いため、光の発散等による光の利用効率の低下を防止するためである。すなわち、入射側レンズ４３１に入射した部分光束をそのまま、フィールドレンズ４１８に伝えるためである。
【００３４】
光学装置４４は、入射された光束を画像情報に応じて変調してカラー画像を形成し、形成したカラー画像を拡大投射する。この光学装置４４は、透過型の光変調素子としての３つの液晶パネル４４１（赤色光用の液晶パネルを４４１Ｒ、緑色光用の液晶パネルを４４１Ｇ、青色光用の液晶パネルを４４１Ｂとする）と、これら液晶パネル４４１の光束入射側および光束射出側にそれぞれ対向配置される入射側偏光板４４２および光学変換板４４３と、色合成光学装置としてのクロスダイクロイックプリズム４４４と、投射レンズ８とを備える。
【００３５】
入射側偏光板４４２は、偏光変換素子４１４で偏光方向を略一方向に揃えられた各色光が入射され、入射された光束のうち、偏光変換素子４１４で揃えられた光束の偏光軸と略同一方向の偏光光のみ透過させ、その他の光束を吸収するものである。
【００３６】
液晶パネル４４１は、図示は省略するが、一対の透明なガラス基板に電気光学物質である液晶が密閉封入された構成を有し、制御基板から出力される駆動信号に応じて、液晶の配向状態が制御され、入射側偏光板４４２から射出された偏光光束の偏光方向を変調する。
【００３７】
光学変換板４４３は、図４に示すように、第１光学変換板４４３Ａと、第２光学変換板４４３Ｂとから構成されている。第１光学変換板４４３Ａは、既述の入射側偏光板４４２と略同様の構成を有し、入射された光束のうち、所定方向の偏光光のみを透過させ、その他の光束を吸収するものである。また、第２光学変換板４４３Ｂは、液晶パネル４４１から射出された光束のうち、所定方向の偏光光のみを透過させ、その他の光束を吸収するとともに、液晶パネル４４１から射出された光束の視野角を拡大する。そして、クロスダイクロイックプリズム４４４は、４つの直角プリズムを貼り合わせた平面視正方形状をなし、直角プリズム同士を貼り合わせた界面には、２つの誘電体多層膜が形成されているものであり、光学変換板４４３から射出された色光毎に変調された光学像を合成してカラー画像を形成する光学素子である。
【００３８】
投射レンズ８は、先端部分が外装ケース２の切り欠き１８から露出可能に配置され、クロスダイクロイックプリズム４４４にて形成されたカラー画像を拡大投射する。この投射レンズ８は、筒状の鏡筒内に複数のレンズが収納された組レンズとして構成されている。また、この投射レンズ８は、図３に示すように、複数のレンズの相対位置を変更するレバー８Ａを備え、投射像のフォーカス調整、および倍率調整が可能なように構成されている。
【００３９】
光学部品用筐体４５は、合成樹脂製の成形品であり、図４に示すように、光源ランプ４１６からの光束の射出方向である照明光軸に沿って、上述した光学部品４１〜４４を所定位置に配置する。この光学部品用筐体４５は、図３に示すように、部品収納部材４５１と、蓋状部材４５２とを備える。部品収納部材４５１は、光源装置４１１（図４）が収納される光源収納部４５１Ａと、光源装置４１１を除く他の光学部品４１〜４４（図４）が収納される部品収納部４５１Ｂとを備える。部品収納部４５１Ｂは、光学装置４４および投射レンズ８が一体化されたユニットを支持固定する支持部４５１Ｂ１，４５１Ｂ２を有する。蓋状部材４５２は、部品収納部４５１Ｂの平面形状に対応し、部品収納部４５１Ｂの上方側の開口部分を閉塞するものである。
【００４０】
また、冷却ユニット６は、プロジェクタ１外部から冷却空気を内部に導入し、プロジェクタ１の内部を冷却するものである。冷却ユニット６は、図３に示すように、投射レンズ８を挟むように配置された冷却空気を導入するための一対のファン部６２，６３を有し、ファン部６２，６３の内部には、それぞれシロッコファンが配置されている。ファン部６２，６３は、投射レンズ８の下部に配置された吸入側ダクト６１から冷却空気を吸入し、光学装置４４の下部に配置された吐出側ダクト６４へ冷却空気を吐出する。
【００４１】
以下に、冷却ユニット６の構造について詳細に説明する。図５は、冷却ユニットの構成および配置位置を示す斜視図である。そして、図６は、冷却ユニットの吐出側ダクト本体の構造を示す斜視図である。冷却ユニット６は、光学装置４４の３つの液晶パネル４４１および光学変換板４４３が高輝度の光束で照射されて高温となり発熱するため、液晶パネル４４１、入射側偏光板４４２、および光学変換板４４３を主に冷却する。また、プロジェクタ１は、冷却ユニット６の他に、光源装置４１１および電源ユニット５等を冷却するための冷却ユニットを備えており、いずれも外部から導入した冷却空気によって、当該装置および当該ユニットを冷却する。
【００４２】
吸入側ダクト６１は、ロアーケース１２の底面部１２Ａに形成された吸気口２１の内側に設置され、吸気口２１を介してプロジェクタ１の外部からプロジェクタ１の内部に導入された冷却空気をファン部６２，６３に導くためのものである。この吸入側ダクト６１は、投射方向と直交する方向に延在し、吸気口２１と対向する端面から冷却空気を吸入するとともに、延在方向両端部から冷却空気を吐出側ダクト６４へ流出させる。そして、吸入側ダクト６１は、投射レンズ８と機械的に干渉しないように、側面部が凹曲面状に形成されている。
【００４３】
吐出側ダクト６４は、吐出側ダクト本体（ダクト体）６４２を有し、光学装置４４（図３）の下方側に配置されている。吐出側ダクト本体６４２は、ファン部６２から吐出された冷却空気を光学装置４４の緑色光側の下方に導く第１流通部６４Ａと、ファン部６３から吐出された冷却空気を光学装置４４の赤色光側および青色光側の下方に導く第２流通部６４Ｂとを有し、第１流通部６４Ａおよび第２流通部６４Ｂを流通した冷却空気を光学装置４４の下方側から上方に向けて流出させる。第１流通部６４Ａおよび第２流通部６４Ｂは、図５に示すように、ロアーケース１２の底面部１２Ａの内側に形成されたリブ６４１と、吐出側ダクト本体６４２とが組み合い係合することで形成される。詳細には、第１流通部６４Ａは、リブ６４１の第１リブ６４１Ａと吐出側ダクト本体６４２の第１ダクト６４２Ａとが組み合い、第２流通部６４Ｂは、リブ６４１の第２リブ６４１Ｂと吐出側ダクト本体６４２の第２ダクト６４２Ｂとが組み合っている。
【００４４】
図６の斜視図は、吐出側ダクト本体６４２を上方側から見た図である。図６では、吐出側ダクト本体６４２に付随する取付部等を省略してある。吐出側ダクト本体６４２は、第１ダクト６４２Ａと、第２ダクト６４２Ｂとが一体的に形成された合成樹脂製の成形品であり、リブ６４１（図５）と係合可能に構成されている。
【００４５】
第１ダクト６４２Ａは、第１リブ６４１Ａとロアーケース１２の底面部１２Ａの内側とで冷却空気の流路を形成する。また、第１ダクト６４２Ａは、一端および下方が開口しており、吐出側ダクト本体６４２とリブ６４１とが係合することで、第１ダクト６４２Ａの下方の開口部分と第１リブ６４１Ａとが当接し、図５に示すように、略筒状の第１流通部６４Ａが形成される。そして、第１ダクト６４２Ａの一端の開口部分は、ファン部６２の吐出口に対応した形状を有している。そのため、第１ダクト６４２Ａおよび第１リブ６４１Ａが組み合わされた第１流通部６４Ａの一端の開口は、ファン部６２の吐出口と略同形状となり、吐出口と接続可能となる。
【００４６】
第１ダクト６４２Ａにおいて、上面の他端側には、図６に示すように、第１流通部６４Ａを流通した冷却空気を、光学装置４４の緑色光側の下方から上方に向けて流出させる平面視略矩形状の緑色光側流出口６４２Ａ１が形成され、さらに、緑色光側流出口６４２Ａ１から流出する冷却空気を整流するように整流板６４２Ａ２が形成されている。
【００４７】
また、第２ダクト６４２Ｂは、第２リブ６４１Ｂとロアーケース１２の底面部１２Ａの内側とで冷却空気の流路を形成する。また、第２ダクト６４２Ｂは、一端および下方が開口しており、吐出側ダクト本体６４２とリブ６４１とが係合することで、第２ダクト６４２Ｂの下方の開口部分と第２リブ６４１Ｂとが当接し、図５に示すように、略筒状の第２流通部６４Ｂが形成される。そして、第２ダクト６４２Ｂの一端の開口部分は、ファン部６３の吐出口に対応した形状を有している。そのため、第２ダクト６４２Ｂおよび第２リブ６４１Ｂが組み合わされた第２流通部６４Ｂの一端の開口は、ファン部６３の吐出口と略同形状となり、吐出口と接続可能となる。なお、吐出側ダクト本体６４２およびリブ６４１の当接する部分がそれぞれの係合部であり、吐出側ダクト本体６４２の係合部は、リブ６４１の立設方向に対して、屈曲のない平面形状である。
【００４８】
第２ダクト６４２Ｂにおいて、上面には、図６に示すように、光学装置４４の赤色光側の下方位置に赤色光側の入射側偏光板４４２、液晶パネル４４１Ｒ、および光学変換板４４３の各対向面に直交する方向（第２ダクト６４２Ｂの延在方向）に延びる略矩形状の赤色光側流出口６４２Ｂ１が形成されている。第２流通部６４Ｂを流通する冷却空気の一部は、この赤色光側流出口６４２Ｂ１を介して光学装置４４の赤色光側の下方から上方に向けて流出する。
【００４９】
また、第２ダクト６４２Ｂにおいて、上面の端部側には、第２流通部６４Ｂを流通する冷却空気のうち、赤色光側流出口６４２Ｂ１を介して流出した冷却空気を除く冷却空気を、光学装置４４の青色光側の下方から上方に向けて流出させる平面視台形状の青色光側流出口６４２Ｂ２が形成されている。さらに、青色光側流出口６４２Ｂ２には、青色光側流出口６４２Ｂ２から流出する冷却空気を整流するように整流板６４２Ｂ３が形成されている。
【００５０】
次に、吐出側ダクト６４の吐出側ダクト本体６４２と組み合って係合するリブ６４１について説明する。図７は、ロアーケースのリブの構造を示す斜視図である。リブ６４１は、図７に示すように、ロアーケース１２の底面部１２Ａの内側から上方に立設したものであり、第１流通部６４Ａ（図５）の一部を構成する第１リブ６４１Ａと、第２流通部６４Ｂ（図５）の一部を構成する第２リブ６４１Ｂとで構成される。また、図８は、吐出側ダクトの係合部を示す断面を含む斜視図であり、図５に示す吐出側ダクト６４における冷却空気が流通する流路の断面を詳細に表している。
【００５１】
まず、図７に基づいて、第１リブ６４１Ａについて説明する。第１リブ６４１Ａは、内側リブ６４１Ａ３，６４１Ａ４と、外側リブ６４１Ａ１，６４１Ａ２とを有する。外側リブ６４１Ａ１と内側リブ６４１Ａ３とは、一対をなし、その一端がファン部６２における吐出口の投射レンズ８側の側端部に対向し、一端から後方側に、光学装置４４の緑色光側の入射側偏光板４４２の下方位置まで延在する。また、外側リブ６４１Ａ２と内側リブ６４１Ａ４とは、一対をなし、その一端がファン部６２における吐出口の投射レンズ８から離間する側の側端部に対向し、一端から後方側に延在し、延在方向先端部分が光学装置４４の緑色光側の入射側偏光板４４２の光束入射側端面あるいは光束射出側端面に沿う方向にさらに屈曲して延在する。また、延在した先端部分が第２リブ６４１Ｂの外側リブ６４１Ｂ２の側に屈曲して外側リブ６４１Ｂ２と接続する。
【００５２】
このような形状により、第１リブ６４１Ａは、外側リブ６４１Ａ１，６４１Ａ２、第２リブ６４１Ｂの外側リブ６４１Ｂ１、６４１Ｂ２、およびロアーケース１２の底面部１２Ａの内側にて、一端および上方が開口する略容器形状をなしている。また、外側リブ６４１Ａ２の他端側には、光学装置４４における緑色光側の液晶パネル４４１Ｇおよび光学変換板４４３を平面的に区画する位置に、液晶パネル４４１Ｇおよび光学変換板４４３の対向面に沿う方向（第１流通部６４Ａにおける冷却空気の流通方向）に平行に延びる整流板６４１Ａ５が形成されている。この整流板６４１Ａ５は、第１ダクト６４２Ａの整流板６４２Ａ２と共に同一面を形成し、冷却空気を整流する。
【００５３】
ここで、第１リブ６４１Ａの内側リブ６４１Ａ４は、図８に拡大断面図として詳細に示されているように、外側リブ６４１Ａ２より略容器形状の内部側の位置に外側リブ６４１Ａ２と平行に立設されている。これら外側リブ６４１Ａ２、内側リブ６４１Ａ４および底面部１２Ａの内側によって、略Ｕ字状の係合部が形成される。また、外側リブ６４１Ａ２と内側リブ６４１Ａ４との間隔（開口部）は、組み合わされる第１ダクト６４２Ａの係合部が緩い嵌合を持って挿入可能なように設定されている。さらに、外側リブ６４１Ａ２は、内側リブ６４１Ａ４より立設する高さが高く設定されている。
【００５４】
このような係合の設定により、第１ダクト６４２Ａは、外側リブ６４１Ａ２と内側リブ６４１Ａ４とにより、強固に固定することが可能である。また、外側リブ６４１Ａ２を内側リブ６４１Ａ４より高く立設することにより、外側リブ６４１Ａ２と第１ダクト６４２Ａとの接触面積が増えるため、流路を流通する冷却空気の圧力が外側リブ６４１Ａ２の方向へ強く作用しても、第１ダクト６４２Ａの変形を抑制でき、外側リブ６４１Ａ２と第１ダクト６４２Ａとの間に隙間が生じて冷却空気が多量に漏れるようなことが無い。さらに、合成樹脂製の成形品である第１ダクト６４２Ａに変形が生じていても、外側リブ６４１Ａ２と内側リブ６４１Ａ４との間隔（開口部）に第１ダクト６４２Ａを挿入するため、第１ダクト６４２Ａの矯正が可能で、外側リブ６４１Ａ２と内側リブ６４１Ａ４と第１ダクト６４２Ａとを密着させて係合することが可能である。
【００５５】
同様に、第１リブ６４１Ａの内側リブ６４１Ａ３は、図７に示すように、外側リブ６４１Ａ１より略容器形状の内部側の位置に外側リブ６４１Ａ１と平行に立設されている。これら外側リブ６４１Ａ１、内側リブ６４１Ａ３および底面部１２Ａの内側によって、略Ｕ字状の係合部が形成される。また、外側リブ６４１Ａ１と内側リブ６４１Ａ３との間隔（開口部）は、組み合わされる第１ダクト６４２Ａの係合部が緩い嵌合を持って挿入可能なように設定されている。さらに、外側リブ６４１Ａ１は、内側リブ６４１Ａ３より立設する高さが高く設定されている。従って、外側リブ６４１Ａ１と内側リブ６４１Ａ３と第１ダクト６４２Ａとの係合は、既述した外側リブ６４１Ａ２と内側リブ６４１Ａ４と第１ダクト６４２Ａとの係合と同様の効果を有する。
【００５６】
次に、第２リブ６４１Ｂについて説明する。図７に示すように、第２リブ６４１Ｂは、第１リブ６４１Ａと同様な構成であって、吸気口２１の外縁の一部を囲むように形成されている一対の外側リブ６４１Ｂ１および内側リブ６４１Ｂ３と、吸気口２１から離間する方向に形成されている一対の外側リブ６４１Ｂ２および内側リブ６４１Ｂ４とを有する。
【００５７】
外側リブ６４１Ｂ１と内側リブ６４１Ｂ３とは、その一端がファン部６３における吐出口の投射レンズ８側の側端部に対向し、一端から後方側に延在し、延在方向先端部分が光学装置４４の青色光側の入射側偏光板４４２の下方位置まで達する平面視略Ｌ字形状に形成されている。外側リブ６４１Ｂ２と内側リブ６４１Ｂ４とは、その一端がファン部６３における吐出口の投射レンズ８から離間する側の側端部に対向し、外側リブ６４１Ｂ１，内側リブ６４１Ｂ３と同様に平面視略Ｌ字形状を有し、他端側が光学装置４４の緑色光側の第１光学変換板４４３Ａの下方位置まで延在し、延在した先端部分が外側リブ６４１Ｂ１と内側リブ６４１Ｂ３とそれぞれ接続するように形成されている。
【００５８】
このような形状により、第２リブ６４１Ｂは、外側リブ６４１Ｂ１、外側リブ６４１Ｂ２、およびロアーケース１２の底面部１２Ａの内側にて、一端および上方が開口する略容器形状をなしている。ここで、第２リブ６４１Ｂの内側リブ６４１Ｂ３は、外側リブ６４１Ｂ１より略容器形状の内部側の位置に外側リブ６４１Ｂ１と平行に立設されている。これら外側リブ６４１Ｂ１、内側リブ６４１Ｂ３および底面部１２Ａの内側によって、略Ｕ字状の係合部が形成される。また、外側リブ６４１Ｂ１と内側リブ６４１Ｂ３との間隔（開口部）は、組み合わされる第２ダクト６４２Ｂの係合部が緩い嵌合を持って挿入可能なように設定されている。さらに、外側リブ６４１Ｂ１は、内側リブ６４１Ｂ３より立設する高さが高く設定されている。
【００５９】
同様に、第２リブ６４１Ｂの内側リブ６４１Ｂ４は、外側リブ６４１Ｂ２より略容器形状の内部側の位置に外側リブ６４１Ｂ２と平行に立設されている。これら外側リブ６４１Ｂ２、内側リブ６４１Ｂ４および底面部１２Ａの内側によって、略Ｕ字状の係合部が形成される。また、外側リブ６４１Ｂ２と内側リブ６４１Ｂ４との間隔（開口部）は、組み合わされる第２ダクト６４２Ｂの係合部が緩い嵌合を持って挿入可能なように設定されている。さらに、外側リブ６４１Ｂ２は、内側リブ６４１Ｂ４より立設する高さが高く設定されている。従って、第２リブ６４１Ｂと第２ダクト６４２Ｂとの係合は、既述した第１リブ６４１Ａと第１ダクト６４２Ａとの係合と同様の効果を有する。
【００６０】
以上説明したプロジェクタ１に関する実施形態の効果をまとめて記載する。
【００６１】
プロジェクタ１の備える冷却ユニット６は、略Ｕ字状をなすリブ６４１へ吐出側ダクト本体６４２を挿入する係合であるため、組立時における双方の位置決めが容易であると共に、係合部が変形し難く、係合部における隙間の発生を防ぐことが可能である。また、吐出側ダクト本体６４２に変形が生じていても、吐出側ダクト本体６４２を矯正し、リブ６４１と吐出側ダクト本体６４２を密着させて係合することが可能である。従って、液晶パネル４４１へ導く冷却空気が冷却ユニット６から漏れることをほぼ防止でき、液晶パネル４４１へ十分な風量の冷却空気を供給可能である。また、吐出側ダクト本体６４２の変形を考慮することなく薄肉化が可能となり、プロジェクタ１の軽量化も可能となる。
【００６２】
また、リブ６４１は、外側リブ６４１Ａ１，６４１Ａ２，６４１Ｂ１，６４１Ｂ２の立設高さが内側リブ６４１Ａ３，６４１Ａ４，６４１Ｂ３，６４１Ｂ４より高く、高い分だけ吐出側ダクト本体６４２との接触面積が広い。そのため、冷却空気によって吐出側ダクト本体６４２が流路側から押されても、吐出側ダクト本体６４２の変形がより起こり難くなり、流路からの冷却空気の漏れをより抑制することが可能である。
【００６３】
そして、吐出側ダクト本体６４２には、３つの液晶パネル４４１のそれぞれに対応して冷却空気の流出口が設けられ、各流出口からの冷却空気により各液晶パネル４４１を冷却する。これにより、各液晶パネル４４１の冷却が個々に確実に行え、液晶パネル４４１が高温状態になって不具合を生じることを防止可能である。
【００６４】
また、本発明は上記の実施形態に限定されるものではなく、次に挙げる変形例のような形態であっても、実施形態とほぼ同様な効果が得られる。
【００６５】
図９（ａ）〜（ｄ）は、リブおよび吐出側ダクトの係合部の変形例を示す断面図である。図９では、吐出側ダクト本体６４２の第１ダクト６４２Ａと、リブ６４１の外側リブ６４１Ａ２および内側リブ６４１Ａ４と、の係合を代表例として表しているが、他の係合部にも適応可である。例えば、内側リブ６４１Ａ４の立設高さが外側リブ６４１Ａ２より低い設定である実施形態の例に限定されず、図９（ａ）に示すように、内側リブ６４１Ａ４の立設高さが外側リブ６４１Ａ２より高い設定であっても良い。
【００６６】
また、図９（ｂ）に示すように、外側リブ６４１Ａ２と内側リブ６４１Ａ４とが同じ立設高さであっても良い。
【００６７】
また、図９（ｃ）に示すように、外側リブ６４１Ａ２と内側リブ６４１Ａ４との構成は、実施形態と同様の略Ｕ字状であって、第１ダクト６４２Ａの係合部の形状が実施形態のような平面的な形状ではなく、クランク状をなしていても良い。これにより、第１ダクト６４２Ａの係合部の強度向上が図れる。
【００６８】
さらに、図９（ｄ）に示すように、第１ダクト６４２Ａの係合部が略Ｕ字状であり、立設された１本の第１リブ６４１Ａが略Ｕ字状へ挿入される形態であっても良い。
【００６９】
なお、以上述べたような、リブ６４１または吐出側ダクト本体６４２のいずれかが略Ｕ字状の係合部を有している構成に限定されず、リブ６４１および吐出側ダクト本体６４２の双方が略Ｕ字状の係合部を有していてもよい。
【００７０】
実施形態においては、光学装置４４を冷却する冷却ユニット６を挙げたが、これに限らず、光源装置４１１および電源ユニット５等を冷却するための冷却ユニットにも適応可能である。
【００７１】
そして、実施形態におけるプロジェクタ１は、光変調素子として、透過型の液晶パネル４４１を用いているが、反射型の液晶パネル等、反射型の光変調素子を用いることも可能である。また、入射した光の出射方向を、画素としてのマイクロミラー毎に制御することにより、光源から出射した光を変調する微小ミラーアレイデバイス等を用いても良い。
【００７２】
実施形態においては、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【図面の簡単な説明】
【００７３】
【図１】本実施形態に係るプロジェクタを上方前面側から見た斜視図。
【図２】プロジェクタを下方前面側から見た斜視図。
【図３】プロジェクタの内部構造を示す斜視図。
【図４】プロジェクタが備える光学ユニットの光学系を示す模式図。
【図５】冷却ユニットの構成および配置位置を示す斜視図。
【図６】冷却ユニットの吐出側ダクト本体の構造を示す斜視図。
【図７】ロアーケースのリブの構造を示す斜視図。
【図８】吐出側ダクトの係合部を示す断面を含む斜視図。
【図９】リブおよび吐出側ダクトの係合部の変形例を示す断面図。
【符号の説明】
【００７４】
１…プロジェクタ、２…外装ケース、４…光学ユニット、５…電源ユニット、６…冷却装置としての冷却ユニット、８…投射レンズ、１２…ロアーケース、１２Ａ…底面部、１６…排気口、２１…吸気口、４４…光学装置、６１…吸気側ダクト、６２，６３…ファン部、６４…吐出側ダクト、６４Ａ…第１流通部、６４Ｂ…第２流通部、４４１…光変調素子としての液晶パネル、６４１…リブ、６４１Ａ…第１リブ、６４１Ｂ…第２リブ、６４１Ａ１，６４１Ａ２，６４１Ｂ１，６４１Ｂ２…外側リブ、６４１Ａ３，６４１Ａ４，６４１Ｂ３，６４１Ｂ４…内側リブ、６４２…ダクト体としての吐出側ダクト本体、６４２Ａ…第１ダクト、６４２Ｂ…第２ダクト、６４２Ａ１…緑色光側流出部、６４２Ｂ１…赤色口側流出口、６４２Ｂ２…青色光側流出口。
【図１】
2008089688.tif 000003
【図２】
2008089688.tif 000004
【図３】
2008089688.tif 000005
【図４】
2008089688.tif 000006
【図５】
2008089688.tif 000007
【図６】
2008089688.tif 000008
【図７】
2008089688.tif 000009
【図８】
2008089688.tif 000010
【図９】
2008089688.tif 000011